(57)【要約】【課題】本発明は、個人の脚を検査するように適合された装置に関する。【解決手段】本装置は、個人の足を受け入れるように適合された支持ベースと、個人の脚の両側に配置されるように適合された２つの側方パネルと、支持ベースおよびパネルに関して足および脚を位置決めする手段と、対向している側方パネルの反対側の各側方パネル上に配置されたマイクロ波受信器／送信器手段と、一方のパネルから反対側のパネルに対して送られた信号、および、一方のパネルからこの同じパネルに向かって反射された信号に対応する、マイクロ波受信器において検出された信号の分析手段と、を含む。【選択図】  図３
2019074526.tif 000002
【特許請求の範囲】
【請求項１】
個人の脚を検査するように適合された装置であって、
前記個人の足を受け入れるように適合された支持ベースと、
前記個人の脚の両側に配置されるように適合された２つの側方パネルと、
前記支持ベースおよび前記パネルに関して前記足および前記脚を位置決めする手段と、
対向している前記側方パネルの反対側の各側方パネル上に配置されたマイクロ波受信器／送信器手段と、
一方のパネルから反対側のパネルに対して送られた信号、および、一方のパネルからこの同じパネルに向かって反射された信号に対応する、マイクロ波受信器において検出された信号の分析手段と、
を含む、装置。
【請求項２】
前記分析手段は、基準に関して、受信された信号の遅延と振幅の分析を実行する、
請求項１に記載の装置。
【請求項３】
前記分析手段は、前記受信器において受信された信号を、ボイド内の送信及び／又は脚における反射を表す基準信号と比較する、
請求項１または２に記載の装置。
【請求項４】
前記分析手段は、受信された信号と基準との間で閾値より大きいギャップを検出した場合に、アラームを生成する、
請求項１乃至３いずれか一項に記載の装置。
【請求項５】
前記装置は、２つの前記側方パネルの内面を接続しているクロスビームによって形成される膝の位置決め手段、を含む、
請求項１乃至４いずれか一項に記載の装置。
【請求項６】
前記マイクロ波受信器／送信器手段は、各パネル上で水平な行と垂直な列のマトリクスに従って配置されている複数のマイクロ波トランスデューサを含む、
請求項１乃至５いずれか一項に記載の装置。
【請求項７】
前記マイクロ波受信器／送信器手段は、マイクロ波トランスデューサの行を含み、最も高い行は、前記支持ベースの表面からおよそ３５０ｍｍの高さに置かれている、
請求項１乃至６いずれか一項に記載の装置。
【請求項８】
前記マイクロ波受信器／送信器手段は、
それぞれに３個のマイクロ波トランスデューサを含む５つの水平な行を含み、
１つの行に係る２個のトランスデューサ間の水平ギャップは、およそ７５ｍｍであり、
トランスデューサの２つの行の間の垂直ギャップは、およそ５５ｍｍである、
請求項１乃至７いずれか一項に記載の装置。
【請求項９】
前記マイクロ波トランスデューサそれぞれは、焦点円錐と関連付けされている、
請求項１乃至８いずれか一項に記載の装置。
【請求項１０】
前記トランスデューサは、５ＧＨｚと３０ＧＨｚとの間の周波数範囲において動作し、かつ、非常に好ましくは１２ＧＨｚと２０ＧＨｚとの間の周波数の範囲で動作する、
請求項１乃至９いずれか一項に記載の装置。
【請求項１１】
前記パネル上に配置された異なるトランスデューサは、反対側のパネルにおいて対向して置かれたトランスデューサに対してそれぞれ同軸上に配置されている、
請求項１乃至１０いずれか一項に記載の装置。
【請求項１２】
前記トランスデューサそれぞれは、二者択一的に、送信器または受信器として、もしくは、送信器および受信器として動作するように適合されている、
請求項１乃至１１いずれか一項に記載の装置。
【請求項１３】
前記送信器それぞれは、反対側のパネルにおける同軸上の受信器の方向において、並びに、対向する前記同軸上のトランスデューサ受信器に隣接するトランスデューサの方向においても放射するよう適合されている、
請求項１乃至１２いずれか一項に記載の装置。
【請求項１４】
前記受信器それぞれは、反対側のパネル上に配置された同軸上の送信器から、並びに、対向する前記同軸上のトランスデューサ送信器に隣接するトランスデューサからも受信するよう適合されている、
請求項１乃至１３いずれか一項に記載の装置。
【請求項１５】
前記分析手段は、
２つの対向する前記パネル上に置かれた同軸上にある前記送信器と前記受信器の各ペア間におけるマイクロ波の直接送信に係る遅延と振幅を測定すること、
前記パネル上に置かれた前記送信器それぞれと、該送信器に対向するパネルにおいて同軸上に置かれている受信器を取り囲む複数の受信器との間でマイクロ波の斜め送信に係る遅延と振幅を測定すること、
前記トランスデューサ送信器それぞれによって放射されたマイクロ波、および、脚により、もしくは脚の上又は周りに置かれた不正な物質によって、前記受信器を形成している同じトランスデューサに向かって反射され、または、受信器を取り囲む複数の受信器に向かって反射されるマイクロ波に係る遅延と振幅を測定すること、
前記不正な物質によって反射されたマイクロ波および前記脚によって反射されたマイクロ波に係る２つのエコーの存在を検出すること、
直接的に送信されたマイクロ波をボイド内の送信基準値と比較すること、および、閾値より大きい遅延を検出し、かつ、前記マイクロ波を遅延かつ減衰させる物質の範囲に対応する振幅を伴う場合に、アラームを送信すること、
直接的に送信されたマイクロ波を隣接するトランスデューサ上で送信されるマイクロ波と比較すること、および、異なる信号間で検出されたギャップが閾値より大きい場合に、アラームを生成すること、
斜めマイクロ波をボイド内の基準値と比較すること、および、閾値より大きい遅延を検出し、かつ、前記マイクロ波を遅延かつ減衰させる物質を表す既定の範囲に対応する振幅を伴う場合に、アラームを生成すること、
斜めに送信されたマイクロ波を直接的に送信される隣接したマイクロ波と比較すること、および、異なる信号間で検出されたギャップが閾値より大きい場合に、アラームを生成すること、
検出された前記２つのエコーをボイド内の送信値と比較すること、および、前記２つのエコーのピーク間で閾値より大きい遅延を検出し、かつ、閾値より大きい振幅を伴う場合に、アラームを生成すること、
のうち少なくとも１つを実行するように適合されている、
請求項１乃至１４いずれか一項に記載の装置。
【請求項１６】
請求項１乃至１５いずれか一項に記載の装置を使用して、個人の脚を検査する方法であって、
一方のパネルから反対側のパネルに対して送られた信号、および、一方のパネルから同じ当該パネルに向かって反射された信号に対応する、前記マイクロ波受信器において検出された信号を分析するステップと、
分析により、送信時間または信号の振幅において、基準に関して、閾値より大きいギャップの存在が明らかになった場合に、アラームを生成するステップと、
を含む、方法。
【請求項１７】
前記方法は、
２つの対向する前記パネル上に置かれた同軸上にある前記送信器と前記受信器の各ペア間におけるマイクロ波の直接送信に係る遅延と振幅を測定するステップ、
前記パネル上に置かれた前記送信器それぞれと、該送信器に対向するパネルにおいて同軸上に置かれている受信器を取り囲む複数の受信器との間でマイクロ波の斜め送信に係る遅延と振幅を測定するステップ、
前記トランスデューサ送信器それぞれによって放射されたマイクロ波、および、脚により、もしくは脚の上又は周りに置かれた不正な物質によって、前記受信器を形成している同じトランスデューサに向かって反射され、または、受信器を取り囲む複数の受信器に向かって反射されるマイクロ波に係る遅延と振幅を測定するステップ、
前記不正な物質によって反射されたマイクロ波および前記脚によって反射されたマイクロ波に係る２つのエコーの存在を検出するステップ、
直接的に送信されたマイクロ波をボイド内の送信基準値と比較して、閾値より大きい遅延を検出し、かつ、前記マイクロ波を遅延かつ減衰させる物質の範囲に対応する振幅を伴う場合に、アラームを送信するステップ、
直接的に送信されたマイクロ波を隣接するトランスデューサ上で送信されるマイクロ波と比較して、異なる信号間で検出されたギャップが閾値より大きい場合に、アラームを生成するステップ、
斜めマイクロ波をボイド内の基準値と比較して、閾値より大きい遅延を検出し、かつ、前記マイクロ波を遅延かつ減衰させる物質を表す既定の範囲に対応する振幅を伴う場合に、アラームを生成するステップ、
斜めに送信されたマイクロ波を直接的に送信される隣接したマイクロ波と比較して、異なる信号間で検出されたギャップが閾値より大きい場合に、アラームを生成するステップ、
検出された前記２つのエコーをボイド内の送信値と比較して、前記２つのエコーのピーク間で閾値より大きい遅延を検出し、かつ、閾値より大きい振幅を伴う場合に、アラームを生成するステップ、
のうち少なくとも１つのステップ、および、好ましくは、ステップの組み合わせを実行する、
請求項１６に記載の方法。
【発明の詳細な説明】
【技術分野】
【０００１】
本発明は、アクセス保護ゾーン（protected  access  zone）において承諾されていないオブジェクトまたは用具を検出するためにデザインされた検出器の分野に関する。
【背景技術】
【０００２】
今日では、特定のプロダクト、例えば排他的ではなく爆発物を、機密ゾーン（sensitive  zone）の中または外へ、持ち込み、または、持ち出そうとする試みを非常に信頼性高くコントロールする必要があるようだ。
【０００３】
ここにおいて挙げられる問題は、とても広い範囲の状況をカバーする。特に、かつ、非限定的に、ショップ、学校、鉄道の駅、公共団体またはプライベート団体といった、保護ゾーンにプロダクトを持ち込もうとする試み、または、プロダクトを定められた境界線の外側へ持ち出そうとする試み、を包含している。例えば、会社の盗難または保護サイトにおける場合である。
【０００４】
数年にわたり、保護ゾーンに進入する個人の服の下に隠された武器、爆発物、等を検出するためにボディスキャナーが開発されてきた。これらのシステム全ては、検査される個人（inspected  individuals）によって変調または発せられる放射エネルギ（radiation  energy）の検出に基づく技術を利用している。このようにして使用される放射エネルギは、Ｘ線、マイクロ波、ミリ波、赤外光、テラヘルツ波、および超音波を含むものである。
【０００５】
いくつかのタイプの放射エネルギおよび画像化ジオメトリ（imaging  geometries）の使用にもかかわらず、これら全ての身体スキャナの原理（principle）は、個人の衣服が透明である個人の電子画像の作成である。この画像は、次いで、モニタ上に表示され、そして、オペレータによって観察されるので、後者であるオペレータは、個人がターゲットオブジェクトを運搬しているか否かを判断する。このために、オブジェクトの検出について訓練されているオペレータは、身体スキャナによって識別されたこれらのオブジェクトが、人間の解剖学的構造に対応するか、ライター、ハンカチ、または他のもといった、承諾されたオブジェクトに対応するか、もしくは、武器や爆発物といった、ターゲットオブジェクトに対応するかを判断することができるはずである。
【０００６】
最近は、保護ゾーンの外で不正にプロダクトを持って来ようと試みる個人、または、そうしたプロダクトを持ち込もうと試みる個人は、しばしば問題のプロダクトを隠すために靴を使用するという結果になっている。この現象は、本質的に、このゾーンが視覚的に、または、手動によってコントロールすることが難しいという事実のせいであるようだ。
【０００７】
さらに、従来の身体スキャナは、そうしたプロダクトを検出することができないようである。一方で、身体スキャナによる検出は、床の上にある施設（infrastructures）によって生成されるノイズによって寄生されてしまう。従って、身体スキャナは、一般的に、床の上で所定の距離に置かれた個人の部分だけを分析する。他方で、従来の身体スキャナは、シールドを形成する靴またはブーツの上部の厚みのせいで検出が制限される。そして、現在の技術に基づくのでは、足（foot）の形状を決定せず、かつ、従って、ターゲットオブジェクトを識別しない。
【０００８】
このことが、検査を改善するための試みとして、機密ゾーンに出入りすることを望む個人にオペレータが靴を脱ぐように要求することが発生する理由である。そうした要求は、厳しい制限および不快感を課すものである。
【０００９】
本出願人は、従って、支持ベースを有するフレームを含む装置を提案している。支持ベースは、矩形の板によって形成された階段形状であり、その平坦な上面は、靴によって覆われた個人の一つの足を受け入れ、かつ、位置決めするように意図されている、デザイン又はプリント（design  or  print）およびストップを含み、検出手段を収容する２つの対称的な側方パネルと、情報モジュールとを備えている。
【００１０】
この装置の実施例は、仏国特許出願公開第2860631号明細書、欧州特許出願公開第1574879号明細書、仏国特許出願公開第2889338号明細書、および、仏国特許出願公開第2911212号明細書において開示されている。
【００１１】
上記の文献に記載された検出手段は、金属検出のための巻線（windings）、例えば吸引ノズルの形態のサンプリング手段、例えば薬物（drugs）または爆発物などの蒸気または微量の粒子を引き抜くためのもの、例えばヘルムホルツコイル（Helmholtz  coils）を有する核磁気共鳴に基づく分析手段、または、再び複合インピーダンス分析手段または放射性放射線検出器、によって形成され得るものである。
【発明の概要】
【発明が解決しようとする課題】
【００１２】
本発明の目的は、個人の靴の中または脚（leg）においてカムフラージュされそうなターゲットオブジェクトの検出を改善するための新規な検出手段を提案することである。
【００１３】
本発明の目的は、特に、不正なオブジェクトが個人の脚、より正確には、ふくらはぎ（calf）に固定されている場合（足の前方、後方、外側の側部、内側の側部、または、さらにこれらの配置の組み合わせ、かどうか）にも関係なく効果的な検出手段を提案することである。
【課題を解決するための手段】
【００１４】
これらの目的は、個人の脚（leg）を検査するように構成された装置により本発明に従って達成される。本装置は、
−個人の足（foot）を受け入れるように適合された支持ベースと、
−個人の脚の両側に配置されるように適合された２つの側方パネルと、
−支持ベースおよびパネルに関して足および脚を位置決めする手段と、
−対向している側方パネルの反対側の各側方パネル上に配置されたマイクロ波受信器／送信器手段と、
−一方のパネルから反対側のパネルに対して送られた信号、および、一方のパネルからこの同じパネルに向かって反射された信号に対応する、マイクロ波受信器において検出された信号の分析手段と、を含む。
【００１５】
本発明は、また、上記の装置によって、個人の脚によって運搬される不正なオブジェクトを検出するための方法に関する。
【図面の簡単な説明】
【００１６】
本発明の他の特徴、目的、および利点は、以下の詳細な説明から、および、非限定的な実施例により与えられる添付の図面に関して、より明確になるだろう。
【図１】図１は、本発明に従った、装置の斜視図を示している。
【図２】図２は、装置の中で個人の脚の下部の位置決めを模式的に説明することによって同じ装置を示している。
【図３】図３は、本発明に従った、長手方向の垂直断面における模式図を示している。
【図４】図４ａは、対向するパネルの方向における、パネルからのマイクロ波放射を、側面図で、模式的に示しており、２つのパネルの間に挟まれたマイクロ波に対して非透過性のオブジェクトを伴っている。図４ｂは、第２パネル上の受信器で受け取った信号を、上記オブジェクトに対する位置の関数として模式的に示している。図４ｃは、第２パネル上の受信器で受け取った信号を、上記オブジェクトに対する位置の関数として模式的に示している。図４ｄは、第２パネル上の受信器で受け取った信号を、上記オブジェクトに対する位置の関数として模式的に示している。図４ｅは、第２パネル上の受信器で受け取った信号を、上記オブジェクトに対する位置の関数として模式的に示している。図４ｆは、第２パネル上の受信器で受け取った信号を、上記オブジェクトに対する位置の関数として模式的に示している。
【図５】図５ａは、２つのパネルの間に挟まれた脚の事例について、マイクロ波の放射／受信を、平面図で、模式的に示している。図５ｂは、遅延なく、かつ、減衰なしで脚部ゾーンから送られた信号を示している。図５ｃは、脚によって反射された信号を示している。
【図６】図６ａは、２つのパネルの間に挟まれた脚であり、不正なオブジェクトを側方に運んでいる事例について、マイクロ波の放射／受信を、平面図で、模式的に示している。図６ｂは、このオブジェクトによって反射された信号を示している。
【図７】図７ａは、２つのパネルの間に挟まれた脚であり、不正なオブジェクトを前方に運んでいる事例について、マイクロ波の放射／受信を、平面図で、模式的に示している。図７ｂは、特定の時間遅れおよび減衰によって特徴付けられた、このオブジェクトを介して送られた信号を模式的に示している。
【発明を実施するための形態】
【００１７】
添付の図面は、フレーム100を含む本発明に従った装置を示している。本装置は、
−個人の足を受け入れるように適合されており、かつ、矩形の板によって階段形状に形成された支持ベース110であり、その平坦な上面は、好ましくは、靴によって覆われた個人の一つの足を受け入れ、かつ、位置決めするように意図されている、デザイン又はマーキング112およびストップ114を含む、支持ベースと
−個人の脚の両側に配置されるように適合されており、かつ、検出手段を収容する、２つの対称な側方パネル120と、
−情報モジュール130と、を含む。
【００１８】
添付の図に示される装置は、その形状、その寸法、位置決めマーカ112のルート、ストップ114のルート、モジュール130に表示されるメッセージの性質について、上記の仏国特許出願公開第2860631号明細書、欧州特許出願公開第1574879号明細書、仏国特許出願公開第2889338号明細書、および、仏国特許出願公開第2911212号明細書において説明されている性質に対応してよい。
【００１９】
より正確には、本発明に従って、先に示したように、本発明装置は、また、
−支持ベース110および補助パネル（aux  panels）120に関する、個人の膝に係る位置決め手段140、
−側方パネルに対向して面している各側方パネル120上に配置されたマイクロ波受信器／送信器手段200、
−パネル120から対向するパネルに送信された信号、および、パネル120からこの同じパネルに向かって反射された信号に応じてマイクロ波受信器上で検出された信号に係る分析手段300、も含んでいる。
【００２０】
膝の位置決め手段140は、好ましくは、およそ４０ｃｍの高さで２つの側方パネル120の内面を接続しているクロスビーム142から形成される。
【００２１】
マイクロ波受信器／送信器手段200は、好ましくは、各パネル120上で水平な行および垂直な列のマトリクスに従って配置されたいくつかのマイクロ波トランスデューサを有している。図１、図２、および図３に示すように、好ましくは、それぞれ３つのマイクロ波トランスデューサを有する５つの水平な行が備えられている。
【００２２】
非限定的な実施例として、１つの行に係る２個のトランスデューサ200の間の水平ギャップはおよそ７５ｍｍであり、トランスデューサ200の２つの行の間の垂直ギャップはおよそ５５ｍｍであり、トランスデューサ200の最も高い行は、支持ベース110の表面からおよそ３５０ｍｍの高さにある。
【００２３】
好ましくは、各トランスデューサのマイクロ波200は、焦点円錐（focus  cone）202と関連付けされている。各焦点円錐202の出力は、好ましくは、装置の垂直中央面の概ね１３０ｍｍに置かれている。
【００２４】
トランスデューサ200は、好ましくは５ＧＨｚと３０ＧＨｚとの間の周波数範囲において動作し、かつ、非常に好ましくは１２ＧＨｚと２０ＧＨｚとの間の周波数範囲で動作する。
【００２５】
パネル120上に配置された異なるトランスデューサ200、例えば３個のトランスデューサを含む５つの垂直な列において分配された１５個のトランスデューサは、反対側のパネル120において対向して置かれたトランスデューサに対してそれぞれ同軸上に配置されている。
【００２６】
手段300の制御の下で、各トランスデューサ200は、二者択一的に、送信器または受信器として、もしくは、送信器および受信器として動作し得る。
【００２７】
各送信器200は、好ましくは、反対側のパネル120における同軸上の受信器200の方向において、並びに、この対向する同軸上のトランスデューサ200に隣接するトランスデューサの方向においても放射するよう適合されている。
【００２８】
同様に、各受信器200は、好ましくは、反対側のパネル120上に配置された同軸上の送信器200から、並びに、この対向する同軸上のトランスデューサ送信器200に隣接するトランスデューサからも受信するよう適合されている。
【００２９】
図４において明らかなように、マイクロ波に対して非透過性の物質から成るオブジェクトXが、トランスデューサマトリクス200に対向して置かれた個人のふくらはぎによって運ばれる場合、第１パネル120上に置かれた１つの送信器200から、対向する第２パネル120上に置かれ、オブジェクトXによって隠されていない１つまたはそれ以上の受信器200の方向に送られたビーム（beams）は、振幅が顕著に減衰することなく、空気中の送信のせいでわずかな遅延を伴って受信器に到着する（図４ｂ、図４ｅ、および図４ｆ）。
【００３０】
しかしながら、オブジェクトXの方向において送信器200によって送られたビームは、オブジェクトによって停止され、そして、対向する受信器200に到達しない（図４ｃおよび図４ｄ）。
【００３１】
送信器／受信器のペア200をコントロールすること、および、受信器200からの信号の分析は、従って、個人の脚におけるマイクロ波に対して非透過性のオブジェクトXの存在を検出する。
【００３２】
図５において明らかなように、水の密度のせいで、個人の脚は、ほぼ完全にマイクロ波を反射する。
【００３３】
このようにして、第１パネル120上に置かれた１つの送信器200から、対向する第２パネル120上に置かれ、脚によって隠されていない１つまたはそれ以上の受信器200の方向に送られたビームは、再び、ほとんど遅延なく、かつ、振幅が顕著に減衰することなく、対向する受信器に到着する（図５ｂ）。
【００３４】
しかしながら、送信器200によって脚の方向に送られたビームは、受信器として機能している送信器の方向に、２×ｄ／ｃに等しい遅延を伴って、脚によって反射される。ｄは、送信器と脚との間の距離を表し、かつ、ｃは、空気中のマイクロ波の速さを表している（図５ｃ）。
【００３５】
図６は、個人のふくらはぎの側方で運ばれる不正なオブジェクトX1の検出のための装置のオペレーションを表している。
【００３６】
ここでもまた、第１パネル120上に置かれた１つの送信器200から、対向する第２パネル120上に置かれ、脚によって隠されていない１つまたはそれ以上の受信器200の方向に送られたビームは、図５ｂに示されるように、ほとんど遅延なく、かつ、振幅が顕著に減衰することなく、対向する受信器に到着する。
【００３７】
しかしながら、送信器200によって物体X1の方向に送られたビームは、一方ではオブジェクトX1の外表面によって反射され、かつ、他方では、図６ｂに示されるように、受信器として動作している送信器の方向に脚によって反射される。
【００３８】
図６ｂに示すように、この場合、受信器200は、異なる遅延時間を伴う、２つの連続したエコー（echoes）を受信する。すなわち、オブジェクトX1における反射による第１エコー、および、脚における反射による第２エコーである。
【００３９】
一般的に、本発明者によって行われた試験に従って、脚における第２エコーは、部分的にだけ反射するオブジェクトX1における第１エコーよりも大きい振幅を有している。
【００４０】
図５ｂ、図５ｃ、および図６ｂに示される信号のタイプを比較した分析は、比較によって、個人のふくらはぎの側方で運ばれる不正なオブジェクトを検出する。
【００４１】
図７は、個人のふくらはぎの前方で運ばれる不正なオブジェクトX2の検出のための装置のオペレーションを表している。
【００４２】
ここでもまた、第１パネル120上に置かれた１つの送信器200から、対向する第２パネル120上に置かれ、脚によって隠されていない１つまたはそれ以上の受信器200の方向に送られたビームは、図５ｂに示されるように、ほとんど遅延なく、かつ、振幅が顕著に減衰することなく、対向する受信器に到着する。
【００４３】
しかしながら、脚によって隠されることなく、送信器200によって物体X2の方向に送られたビームは、物質X2のせいで遅延および減衰を伴って、反対側のパネル上に置かれた対向する受信器へ送信される。
【００４４】
図５ｂ、図５ｃ、および図７ｂに示される信号のタイプを比較した分析は、比較によって、個人のふくらはぎの前方で運ばれる不正なオブジェクトを検出する（後方についても同様である）。
【００４５】
当業者であれば、上記の説明の読み込みから、本発明によって、個人の下肢により運ばれる非金属の不正な物質、例えば爆発物またはドラッグ、を検出することができることを理解するであろう。物質を透過したマイクロ波信号、及び／又は、物質によって反射されたマイクロ波信号の遅延と振幅を検出することによるものである。脚による透過、反射も同様である。
【００４６】
好ましくは、トランスデューサのマトリクス200は、足首と膝との間の脚の下部全体をカバーするように適合され、そして、分析手段300は、空気中の透過値（transmission  value）で透過かつ／あるいは反射された信号、及び／又は、不正なオブジェクトを有していない脚において反射された信号の比較を行う。
【００４７】
手段300は、基準値に関して、閾値を超える著しいギャップが検出された場合に、アラーム（alarm）を生成するように適合されている。
【００４８】
マーキング112上の脚の位置決め、および、クロスビーム142において支持される膝の適切な位置決めは、パネル120上に置かれている適合された光学セル（adapted  optical  cells）によってコントロールされ得る。
【００４９】
好ましくは、本発明に関して、手段300は、以下のステップのうち少なくとも１つ、そして、好ましくは、以下のステップ全ての組み合わせを実行するように適合されている。
−２つの対向するパネル120上に置かれた同軸上にある送信器200Txと受信器200Rxの各ペア間におけるマイクロ波の直接送信に係る遅延と振幅を測定すること、
−パネル120上に置かれた各送信器200Txと、その送信器に対向するパネル120において同軸上に置かれている受信器を取り囲む（複数の）受信器200Rxとの間でマイクロ波の斜め送信（oblique  transmission）に係る遅延と振幅を測定すること、
−各トランスデューサ送信器200Txによって放射されたマイクロ波、および、脚により、もしくは脚の上又は周りに置かれた不正な物質（非金属）によって、受信器200Rxを形成している同じトランスデューサに向かって反射され、または、受信器を取り囲む（複数の）受信器200Rxに向かって反射されるマイクロ波、に係る遅延と振幅を測定すること、
−不正な物質により、および、脚によって反射されたマイクロ波に係る２つのエコー（double  echo）の存在を検出すること、
−直接的に送信されたマイクロ波をボイド（void）内の送信基準値と比較すること、および、閾値より大きい遅延を検出し、かつ、マイクロ波を遅延かつ減衰させる物質の範囲に対応する振幅を伴う場合に、アラームを送信すること、
−直接的に送信されたマイクロ波を隣接するトランスデューサ上で送信されるマイクロ波と比較すること、および、異なる信号間で検出されたギャップが閾値より大きい場合（マイクロ波に対して非透過性の非金属物質の存在に類似するもの）にアラームを生成すること、
−斜めマイクロ波（oblique  microwave）をボイド内の基準値と比較すること、および、閾値より大きい遅延を検出し、かつ、マイクロ波を遅延かつ減衰させる物質を表す既定の範囲に対応する振幅を伴う場合に、アラームを生成すること、
−斜めに送信されたマイクロ波を直接的に送信される隣接したマイクロ波と比較すること、および、異なる信号間で検出されたギャップが閾値より大きい場合（マイクロ波に対して非透過性の非金属物質の存在に類似するもの）にアラームを生成すること、
−検出された２つのエコーをボイド内の送信値と比較すること、および、２つのエコーのピーク間で閾値より大きい遅延を検出し、閾値より大きい振幅を伴う場合に、アラームを生成すること（マイクロ波を部分的に反射し（第１エコー）、かつ、反射されない信号を遅延かつ減衰させる（第２エコー）物質を表すもの）。
【００５０】
ちょうど説明した本発明に従った装置は、補助装置によって完成することができる。例えば、側方パネル120の中に統合化された巻線に基づいて金属検出器を形成する手段により、及び／又は、サンプリング手段および物質、蒸気、またはパーティクルのトレースを分析することにより、及び／又は、核磁気共鳴型の分析手段、複合インピーダンスの分析手段及び／又は放射性放射線の検出手段によるものである。
【００５１】
そうした手段は、一般的な構造においてそれ自体は既知であり、従って、以下では詳細に説明されない。
【００５２】
先に説明した本発明に従った装置も、また、仏国特許出願公開第1653385号、仏国特許出願公開第1655726号、および仏国特許出願公開第1655729号の下でフランスで出願された特許出願の目的に対応し、かつ、ベース110及び／又は側方パネル120の中に統合化され得る、以下に説明する手段によって完成することができる。
【００５３】
従って、本発明に関して、装置100は、
−マイクロ波受信器／送信器手段400（例えば、５ＧＨｚ−３０ＧＨｚの範囲、有利には１２ＧＨｚ−２０ＧＨｚの範囲におけるもの）であり、好ましくは、各側方パネル120のベースの中に統合化され、支持ベース110の長さにわたって分配されているもの（こうした関連のマイクロ波送信器手段とマイクロ波受信器手段は、靴のソールの両側にそれぞれ配置されており、直接的に対向して配置されている送信器手段から来る信号、および、同じ垂直レベルまたは異なる高さで、受信器手段に対して斜めに配置されている送信器手段から来る信号を受信器手段において検出するように有利に適合されている）、
−これらのマイクロ波受信器／送信器手段400の間に挿入された要素、典型的にはソール、の幅を測定するための手段、
−マイクロ波受信器／送信器手段400間での送信時間に係る少なくとも１つのパラメータ、及び／又は、マイクロ波受信器／送信器手段400間で送信される信号の振幅を分析する手段300、および、
−幅を測定するための手段に基づいて得られた標準幅のサイズ単位に関する上記分析に係る標準化手段、を含む。
【００５４】
手段300は、また、受信器から発する信号の振幅を分析して、そこからソールの厚さについて情報を推測するようにも適合され得る。
【００５５】
これらの手段400は、ベース110の一方の側に配置された少なくとも１つのマイクロ波送信器手段、および、ベース110の反対側に配置された少なくとも１つのマイクロ波受信器手段を形成し、そうして、マイクロ波送信器手段によって放射されたマイクロ波は、前方支持ベース110上に置かれた靴のソールを通過して、ベース110の反対側に配置されている関連するマイクロ波受信器手段に到着する。
【００５６】
マイクロ波受信器／送信器手段400の間に挿入された要素の幅を測定するための手段は、例えば、赤外線送信器と、関連する赤外線受信器との間の戻り伝搬（return  propagation）時間を測定するように適合された複数の赤外線送信器／受信器手段を含んでいる。
【００５７】
赤外線送信器手段と、関連する赤外線受信器手段とのいくつかのペアが、従って、ベース110のそれぞれの側に備えられ、配置されており、そうして、各赤外線送信器手段によって放射された赤外線は、前方支持ベース110上に置かれた靴のソールで反射され、ベース110の同じ側に配置されている関連する赤外線受信器手段に到着する。
【００５８】
装置は、また、好ましくは、マイクロ波に基づいて、ソールへ向かう波の放射の後に続く連続的なエコーの検出によって、ソールにおいて、垂直方向のスタッキング（vertical  stacking）よる層化（stratification）を検出するように適合された手段を含んでもよく、そして、好ましくは装置の長さにわたり分配された複数のそうした手段を含み得る。
【００５９】
推定されたソールの高さを表す信号に基づいて、垂直方向の層化の検出手段に起因する信号の標準化手段を備えることができる。
【００６０】
本装置は、また、支持ベース110上に置かれた靴のソールによって形成される電気容量（electrical  capacity）を測定するための手段も含み得る。そうした手段は、パネル120の上部に配置されたハンドル122上に電極を含んでよい。ハンドル122上に形成されたこれらの電極は、例えば、パネル120の材料に埋め込まれた導電性材料から作られている。発電機（例えば、０．１Ｖと１０Ｖの間の電圧、好ましくは、およそ１Ｖの電圧を発生するもの）が、側方パネル120上に備えられたハンドル122および支持ベース（110）上に置かれた電極に対して直列に接続されている。例えば、支持ベース110上に、かつ、好ましくは、ソールにおいてマイクロ波を垂直に発生するように適合されたマイクロ波トランスデューサ450に関する円錐（cone）と同心円状に置かれた電極である。
【００６１】
もちろん、本発明は、前述の実施形態に限定されるものではなく、その意味に合致する全ての変形に対して拡張するものである。
【００６２】
特に、本発明の実施は、その基礎が以前に仏国特許出願公開第2860631号明細書、欧州特許出願公開第1574879号明細書、仏国特許出願公開第2889338号明細書、および、仏国特許出願公開第2911212号明細書において説明された装置のコンテクストにおいて説明されてきた。装置は、階段形状に形成された支持ベース110を含み、その上面は、靴によって覆われた個人の一つの足を受け入れ、かつ、位置決めするように意図されている、フットプリント112およびストップ14を含んでいる。
【００６３】
しかし、本発明はこの特定の実施形態に限定されるものではない。添付の図２、３に示されるように、本発明は、また、支持ベースが個人の２つの足（feet）Ｐを同時に受け入れるように適合された装置に対しても適用することができる。
【００６４】
この場合、検査下にある個人の２つの足Ｐそれぞれについて、個別かつ各々に検出できるようにするためには、しかしながら、ベースの上面に突出部（protruding）である３つのブロック320、330、および340を備えることが望ましく、中央ブロック330が２つの足の間に置かれるように、ブロック間に２つの足Ｐが置かれることを要する。一方、２つの側方ブロック320および340は、足の外側にそれぞれ配置されている。中央ブロック330は、ブロック320および340にそれぞれ関連する検出手段を含み、２つの足Ｐそれぞれについて上記の異なる測定を可能にする。このようにして、この場合における中央ブロック330は、好ましくは、マイクロ波の吸収に係る振幅と伝播時間を測定するための送信器142／受信器144手段、並びに、２つのソールＳそれぞれの幅を別々に測定する赤外線トランスデューサ152／154を含んでいる。
【図１】
2019074526.tif 000003
【図２】
2019074526.tif 000004
【図３】
2019074526.tif 000005
【図４】
2019074526.tif 000006
【図５】
2019074526.tif 000007
【図６】
2019074526.tif 000008
【図７】
2019074526.tif 000009
【外国語明細書】
2019074526000001.pdf